(57)【要約】【課題】見栄えを低下させることなく、設置の汎用性を高めることができ、また各種情報を確実に収集することができる情報収集システムを提供することを目的とする。【解決手段】建築物に配置されたタグリーダ１によりＲＦタグ情報を読み取り、建築物内に設定された所定の情報収集対象領域２内の情報を収集する情報収集システムであって、  前記タグリーダ１とＲＦタグ３のいずれか一方が建築物の天井部４に固定される。【選択図】  図１
2006252040.tif 000002
【特許請求の範囲】
【請求項１】
建築物に配置されたタグリーダによりＲＦタグ情報を読み取り、建築物内に設定された情報収集対象領域内の情報を収集する情報収集システムであって、
前記タグリーダとＲＦタグのいずれか一方が建築物の天井部に固定されることを特徴とする情報収集システム。
【請求項２】
建築物に固定されたタグリーダによりＲＦタグ情報を読み取り、建築物内に設定された情報収集対象領域内の情報を収集する情報収集システムであって、
前記タグリーダは、情報収集対象領域がタグリーダの通信可能領域がほぼ一致するように建築物天井部に固定され、
情報収集対象領域内に保持されているＲＦタグ情報を適宜のタイミングで読み取ることを特徴とする情報収集システム。
【請求項３】
前記天井部には、情報収集対象領域が各タグリーダの通信可能領域から構成される領域にほぼ一致するよう複数のタグリーダが固定され、
ＲＦタグ情報を受信したタグリーダの通信可能領域から情報収集対象の位置を特定することを特徴とする請求項２記載の情報収集システム。
【請求項４】
前記ＲＦタグ情報は、ＲＦタグを保持する人または物を識別可能な情報であり、前記情報を元にその所在情報を収集することを特徴とする請求項２または請求項３記載の情報収集システム。
【請求項５】
タグリーダにより建築物に固定されたＲＦタグに記憶された情報を読み取り、建築物内に設定された情報収集対象領域内の情報を収集する情報収集システムであって、
前記ＲＦタグは、情報収集対象領域が各ＲＦタグの通信可能領域から構成される領域にほぼ一致するよう建築物天井部に複数固定され、
各ＲＦタグには、情報収集対象領域に関連した属性情報が記憶されていることを特徴とする情報収集システム。
【請求項６】
前記属性情報は、避難経路情報、売り場店員への指示情報のいずれかであることを特徴とする請求項５記載の情報収集システム。
【請求項７】
前記ＲＦタグはデータ配信ネットワークに接続され、ＲＦタグにデータを配信することが可能であることを特徴とする請求項５記載の情報収集システム。
【請求項８】
前記タグリーダまたはＲＦタグは、天井部に設置される保守対象設備に固定されていることを特徴とする請求項１乃至請求項７記載の情報収集システム。
【発明の詳細な説明】
【技術分野】
【０００１】
本発明は、情報収集システムに関するものである。
【背景技術】
【０００２】
ＲＦＩＤを利用した情報収集システムとしては、特許文献１に記載されたものが知られている。この従来例において、情報収集システムは、商品に取り付けられるＲＦタグと、出入口に配置されるゲート側に固定されるタグリーダとから構成され、タグリーダを未精算商品が通過すると、警報信号が生成される。
【特許文献１】特開２０００-２５９９５８号公報
【発明の開示】
【発明が解決しようとする課題】
【０００３】
しかし、上述した従来例は、通路にゲートを設置する必要があるために見栄えが悪い上に、利用者への精神的な圧迫が大きいという問題がある。この問題は、タグリーダを壁面等に埋め込むことにより解消可能であるが、対向壁面間の距離は建物によりまちまちであり、ＲＦＩＤの交信距離を越えるような広い間口を有する場合には適用できないという欠点がある。また、ＲＦＩＤを用いて入退室管理を行う場合にも、同様の問題があった。
【０００４】
本発明は、以上の欠点を解消すべくなされたものであって、見栄えを低下させることなく、汎用性も高めることができる情報収集システムを提供することを目的とする。
【課題を解決するための手段】
【０００５】
本発明によれば、上記目的は、
建築物に配置されたタグリーダ１によりＲＦタグ情報を読み取り、建築物内に設定された所定の情報収集対象領域２内の情報を収集する情報収集システムであって、
前記タグリーダ１とＲＦタグ３のいずれか一方が建築物の天井部４に固定される情報収集システムを提供することにより達成される。
【０００６】
本発明において、ＲＦＩＤの構成要素であるＲＦタグ３とタグリーダ１のいずれか一方を天井部４に固定することによって、交信方向をほぼ鉛直方向とすることが可能になる。天井の高さは、対向壁面間の間隔に比べるとばらつきは少なく、かつ、情報収集対象領域の広さのばらつきは、天井部４に複数のＲＦＩＤの構成要素（ＲＦタグ、タグリーダ）を配置することにより吸収することができる。
【０００７】
この結果、建築物の広さ等に影響されることなく、どこにでもシステムを設置することが可能となるために、汎用性が向上する。また、天井部４に配置されたＲＦＩＤの構成要素は、目立たないために、利用者に精神的な圧迫感を与えることがない。
【０００８】
さらに、ＲＦＩＤは、使用周波数によっては、水分による減衰が激しいために、人陰等に入ったＲＦタグ３は検出されにくくなり、これが精度低下の一因となる場合がある（例えばマイクロ波帯である2.45GHz）。これに対して、ＲＦＩＤの構成要素の一方を天井部に配置する本発明においては、交信方向がほぼ鉛直方向になって、人陰になる領域を狭くすることが可能になり、結果、精度向上が達成できる。
【０００９】
加えて、天井部４には、火災報知器や煙感知器等の防災設備、空調機、あるいは監視カメラや赤外線センサ、超音波センサ等の各種防犯センサ等の保守を要する設備６が配置することにより、これらのメンテナンス時にＲＦＩＤ構成要素も保守することができ、メンテナンス性も向上する。
【００１０】
なお、本明細書において、「ＲＦＩＤ」の用語は、ＪＩＳ  Ｘ  ０５００による定義に基づき、「誘導電磁界又は電波によって、非接触で半導体メモリのデータを読み出し、書込みのために近距離通信を行うものの総称」として使用する。同様に、「ＲＦタグ」の用語は、「半導体メモリを内蔵して、誘導電磁界又は電波によって書き込まれたデータを保持し、非接触で読出しできる情報媒体」として使用するが、ＪＩＳ  Ｘ  ０５００により未だ規定されていない同種のものを排除するものではない。また、ＪＩＳ  Ｘ  ０５００では、「リーダ/ライタ」を「ＲＦタグのデータを書込み、読出しする装置」として定義している。これに対し、本発明においては、書込み機能は必ずしも要しないことから、「タグリーダ」の用語を使用するが、書込み機能を備えたものを排除することを意図しない。
【００１１】
さらに、情報収集システムは、
情報収集対象領域がタグリーダの通信可能領域にほぼ一致するように、前記タグリーダ１を例えば天井部４に固定し、
情報収集対象が保持するＲＦタグ３の情報を適宜タイミングで読み取るように構成することにより、情報収集精度を飛躍的に高めることができる。
【００１２】
すなわち、上述した従来例は、ゲート前の通過の有無により情報収集対象領域の状態を把握しようとした場合には、ＲＦタグ３の誤読等による精度低下が避けられないという問題がある。
【００１３】
ＲＦタグ３の誤読を防止するために、利用者の背信性がない場合、例えば、入退室管理においては、ＲＦタグ３をタグリーダ１に翳さなければ扉が開かないようにして入退出検出の確実性を高めることが可能のようにも思われる。
【００１４】
しかし、近接型、あるいは近傍型のように、交信距離の小さなＲＦＩＤによりかかるシステムを構築した場合には、先導者がＲＦタグ３を使用して開扉した際に、後続者がＲＦタグ３を翳すことなく連なって入退出してしまう、いわゆる共連れを確実に防止することができないために、確実性の向上には限りがある。
【００１５】
この問題を解決するためには、ＲＦＩＤを交信距離の長い遠隔型のもので構成することも可能であるが、この場合には、扉に近接した室外領域のＲＦタグ３の誤読が発生する。また、遠隔型においては交信領域が広いために、複数人が交信領域を通過する状態が頻発する。遠隔型ＲＦＩＤには、複数のＲＦタグ３を同時読み取り可能なアンチコリジョン対応のものもあるが、入退出者は比較的速い速度で扉前を通過するために、ＲＦタグ３の検出精度が飛躍的に高くなることは望めない。とりわけ、アンチコリジョンにおけるＲＦタグ３の特定は、通常、順次応答するＲＦタグ３が１個になるまで複数の条件を送信し続けることにより行われるものであるから、比較的早期にタグリーダ１の交信範囲から離脱してしまう退出者の検出は困難になる。
【００１６】
上記発明は、これらの問題がＲＦＩＤを使用したゲート管理という手法から流出する問題であるとの認識の下、入退出管理に代表されるように、入室者等の情報収集対象は情報収集対象領域内に比較的長い間留まるという特徴があり、この時間的要素を精度向上に利用することができるとの考えによりなされたもので、領域内の状態を、天井部４と情報収集対象とに配置されたＲＦＩＤにより直接読み取り、これを適宜のタイミングで繰り返すことにより検出精度を高めるものである。
【００１７】
本発明において、天井部４に固定されるタグリーダ１は、所定のタイミングでＲＦタグ３に対するリクエスト用搬送波を送出しており、交信可能領域に進入したＲＦタグ３はリクエスト命令に対応して要求されたタグ情報を発信し、タグリーダ１により受信される。受信されたタグ情報は、例えば、管理用コンピュータシステムに出力され、必要な処理がなされる。
【００１８】
タグリーダ１を設置する天井部４の位置は、情報収集対象領域の全域がＲＦＩＤの通信可能領域とほぼ一致するように決定される。情報収集対象領域は複数のタグリーダ１によりカバーされるものであってもよく、この場合、タグリーダ１は、情報収集対象領域に空白が生じないように、適宜間隔をおいて配置される。
【００１９】
タグリーダ１による読み取りタイミングは、タイマ等を利用するように、読み取り時刻間に一定の間隔を設定するもの以外に、例えば、ドア１１の開閉や照明のＯＮ／ＯＦＦ等、情報収集対象領域内での特定の行為に同期させることもできる。
【００２０】
また、本発明に係る情報収集システムは、特定の固定された領域内での情報収集対象の存否を知る以外に、
前記天井部４には通信可能領域にほぼ一致する間隔で複数のタグリーダ１が固定され、
タグ情報を受信したタグリーダ１の通信可能領域から情報収集対象の位置を特定する情報収集システム
を構成すると、情報収集対象の移動を捕捉するために使用することもできる。
【００２１】
さらに、以上においては、天井部４にタグリーダ１を配置する場合について述べたが、ＲＦタグ３を天井部４に配置するシステムを構成することもできる。この場合、
建築物の天井部４には、情報収集対象領域が各ＲＦタグにより構成される通信可能領域にほぼ一致するよう複数のＲＦタグ３が固定され、
かつ、各ＲＦタグ３には、通信可能領域に関連した属性が格納される情報収集システムとすることにより、タグリーダ１の保持者が領域に関連した属性情報をＲＦタグ３から取得することができる。このシステムの運用例としては、火災等における避難経路をＲＦタグ３からの情報に基づいて決定したり、あるいはＲＦタグ３にデパート等の売り場におけるタイムサービスの内容や商品陳列に関する指示等を配信・記憶させ、従業員への作業指示を行うようにすることが挙げられる。
【００２２】
ＲＦタグ３への領域情報の設定は、別途タグリーダ１を使用して書き込むことも可能であるが、緊急性等に対応するためには、ＲＦタグ３がデータ配信ネットワーク５に接続され、ＲＦタグ３に対するデータ配信を可能とすることが有用である。
【００２３】
さらに、天井部４には、一般に火災報知器等の防災設備、空調機、あるいは監視カメラや赤外線センサ、超音波センサ等の各種防犯センサ等の保守を要する設備６が配置されるために、
前記天井部４に配置されるＲＦＩＤ構成要素が、天井部４に設置される保守対象設備６に固定され、
前記設備６のメンテナンス時に設備６とともに交換可能な請求項１記載の情報収集システム
を構成すると、設備６等の保守の際に一緒に保守、あるいは交換することが簡単になり、メンテナンス性が向上する。
【発明の効果】
【００２４】
本発明によれば、見栄えを低下させることなく、設置の汎用性を高めることができる。
また、情報収集対象領域を複数回にわたってスキャンして領域内の情報を取得するために、情報収集精度を高めることができる。また、タグリーダ１、あるいはＲＦタグ３の一方が天井部４に配置されるために、水分の影響を可及的に少なくすることが可能になり、情報収集精度を高めることができる。
【発明を実施するための最良の形態】
【００２５】
図１（ａ）に社屋の在室者管理システムとして構成された本発明の第１の実施の形態を示す。この実施の形態において、室内（情報収集対象領域２）の天井部４にはタグリーダ１が固定される。ここで天井部４とは、室内天井及び天井に隣接した壁面上部
、あるいは壁で囲まれた屋外領域の壁面情報等、ＲＦタグとタグリーダとの更新方向がほぼ鉛直方向となる位置のことである。タグリーダ１は、情報収集対象領域がタグリーダの通信可能領域にほぼ一致するように、天井部４に配置されている火災報知器等の防災設備、空調機、あるいは監視カメラや赤外線センサ、超音波センサ等の各種防犯センサに一体に固定され、これら設備６の設置、交換時に同時に交換される。
【００２６】
一方、ＲＦタグ３は、社員証に埋め込まれて社員等に配布される。ＲＦタグ３には、社員番号等のＩＤ情報のほかに、例えば喫煙者か否か、聴覚障害があるか否か等の付加情報が記憶される。
【００２７】
ＲＦＩＤには、通信距離の比較的長いＵＨＦ、あるいはマイクロ波方式等の電波方式のものが使用できる。以下、マイクロ波を使用した場合について動作を図１（ｂ）のフローチャートを使用して説明する。
【００２８】
室内の情報を収集するに際し、先ず、タグリーダ１を起動する。起動したタグリーダ１は、起動後初めてのマイクロ波送信か否かを判断する（ステップＳ１-１）。過去に既に送信している場合には、直前の送信から所定時間（例えば１分）経過しているかを判断し（Ｓ１-２）、経過していない場合には、所定時間が経過するまで待機する（ステップＳ１-３）。経過している場合には、マイクロ波を送信する（ステップＳ１-４）。また、ステップＳ１-１にて初めての送信の場合にはそのまま送信する。
【００２９】
社員が検知範囲内に入ると、タグリーダ１から送信された電波によりＲＦタグ３が起動され（Ｓ１-５）、ＲＦタグ３から記憶している識別情報が読み出され（Ｓ１-６）、図外の管理センターに向けて送信される（Ｓ１-７）。
【００３０】
管理センター側では、上記識別情報を受信し、管理センター内に設置されているデータベースに記憶されている室内の在室者リストに検出された社員を登録する（ステップＳ１-８）。
【００３１】
所定の時間間隔でタグリーダ１からマイクロ波を送信し、ＲＦタグ３からの応答を検知することにより、順次在室者リストを更新する。
【００３２】
以上のようにして収集した室内情報は、在室者数、在室者名等の一般的な情報把握に加えて、ＲＦタグ３内に種々の属性情報を含ませることによって、より多様な利用が可能になる。例えば、喫煙者属性を管理することによって、最後の喫煙者の退室時に灰皿の始末を促すメッセージを流したり、あるいは、聴覚障害属性を管理することにより、スピーカ音量を高くすることができる。
あるいは、社員が時間の経過と共にどこに移動したかといった、いわゆる行動履歴を把握することができる為、この情報を元に原価管理を行うことができる。この場合、各建築物で利用されているＲＦＩＤの規格を統一しておくことにより、社員が外出時に様々な建築物間を移動した場合であっても、行動履歴や原価管理を行うことができる。
【００３３】
また、以上において、ＲＦタグ３は社員にのみ配布される場合について説明したが、設備６のメンテナンス業者等に、入館証として配布することが可能である。ＲＦタグ３には、配布日、業者コード等が記憶されており、設備６のメンテナンス作業が行われると、タグリーダ１はＲＦタグ情報を記憶し、後日管理センターにおいてメンテナンス履歴として活用される。
【００３４】
更に、独居老人の着衣等にＲＦタグを埋め込み、一般家庭や老人ホームにおける独居老人の行動履歴から安否を確認したり、あるいは物品にＲＦタグを取り付けることにより個人の貴重品や会社備品の所在を管理し、置き忘れを防止することもできる。
【００３５】
次に、本発明の第２の実施の形態について説明する。この実施の形態において、天井部４には、相互に通信可能領域が重合するように複数のＲＦタグ３、３・・・が固定される。図２において、各ＲＦタグ３は有線、あるいは無線のＬＡＮ（データ配信ネットワーク５）により管理センター７に接続されている。ＲＦタグ３は、管理センター７から配信される配信データにより記憶部を書き替え可能に形成される。
【００３６】
図２は火災時における誘導システムとして機能させる場合を例示するもので、４個の部屋８と廊下９が示され、ＲＦタグ３は、廊下９と各室内８の天井部４に配置される。いま、火災が図２のＸ方向の領域で発生したとすると、先ず、管理センター７は、各ＲＦタグ３に対して避難経路を示すデータを配信し、ＲＦタグ３に格納する。
【００３７】
各ＲＦタグ３には、図２において鎖線で示す通信可能領域内に避難者１０が進入してきた場合の避難経路が格納されることになり、例えば、ＲＦタグ３（Ａ）には、廊下を出た後、左側（矢印ａ方向）に進むメッセージが記憶される。
【００３８】
一方、避難者１０は、タグリーダ１を保持しており、ＲＦタグ３の指示に従って安全に避難することができる。この場合、タグリーダ１にＲＦタグ３からの指示を音声化する装置を組み込むこともできる。また、ＲＦタグ３には、タグリーダ１を保持した消火担当者に対する指示等を記憶させることができる。
【００３９】
また、ＲＦタグ３に、例えばデパート等の売り場におけるタイムサービスの内容や商品の陳列に関する指示等を配信・記憶させ、タグリーダを保持した売り場担当者がＲＦタグ情報を読み出し、これに従って作業を行うようにすることも可能である。
【図面の簡単な説明】
【００４０】
【図１】本発明を示す図で、（ａ）は室内の状態を示す説明図、（ｂ）は在室管理のフローチャートである。
【図２】本発明の第２の実施の形態を示す図である。
【符号の説明】
【００４１】
１        タグリーダ
２        情報収集対象領域
３        ＲＦタグ
４        天井部
５        データ配信ネットワーク
６        設備
【図１】
2006252040.tif 000003
【図２】
2006252040.tif 000004